(57)【要約】      （修正有）【課題】干し終わった洗濯物を容易に取り込む事の出来る折り畳み式物干具を提供する。【解決手段】折り畳み式物干具は、幅方向の略中央部に設けられた回動軸２ａによって一対の分割枠体１ａ，１ａを連結した構造の枠体１と、接続手段５を介して枠体１の上面側に設置される吊手６と、枠体１の下面側に配置される複数のハンガー部７とから構成され、ハンガー部７は、分割枠体１ａ，１ａの下面側に回動軸Ｘを挟んで略左右対称に配置される一対の肩部７ａ，７ａからなり、肩部７ａの端部７ｂは枠体１の外側を向くように略水平に形成されている。【選択図】図１
2007244704.tif 000002
【特許請求の範囲】
【請求項１】
略中央部に設けられた回動軸で連結される一対の分割枠体を備えて２つ折りに折り畳み可能な枠体と、前記一対の分割枠体のそれぞれの下面側に前記回動軸に直交するように配置され一対の肩部を備えたハンガー部と、前記枠体の上面側に備えられる吊手とを備え、前記一対の肩部は略左右対称にその端部が前記枠体の外側を向くように略水平に形成され、前記回動軸の回動によって折り畳まれる一対の分割枠体に連動してその端部が近接することを特徴とする折り畳み式物干し具。
【請求項２】
前記一対の肩部は、それぞれ折曲部とこの折曲部を介して折り曲げ可能に連結される固定部と前記端部を備える可動部とを有し、前記可動部は前記折曲部の折り曲げによって前記端部が近接することを特徴とする請求項１記載の折り畳み式物干し具。
【請求項３】
前記折曲部は、一の端部を前記固定部に、他の端部を前記可動部に係着又は固着され引張力を付加する弾性体を備えることを特徴とする請求項２記載の折り畳み式物干し具。
【請求項４】
前記吊手は、前記回動軸を挟んで略左右対称に対をなして前記枠体の上面側に配置される複数の接続手段を介して前記枠体に接続され、この接続手段は一端が前記分割枠体に軸支されるとともに、他端が前記吊手の下部に軸支されて、前記回動軸に垂直な面上で回動可能な棒状体であることを特徴とする請求項１乃至請求項３のいずれか１項に記載の折り畳み式物干具。
【請求項５】
前記接続手段は、棒状体に代えて一端が前記分割枠体に接合されるとともに、他端が前記吊手の下部に接合される紐状体であることを特徴とする請求項４記載の折り畳み式物干具。
【請求項６】
前記ハンガー部の上面には滑止め部が形成されることを特徴とする請求項１乃至請求項５のいずれか１項に記載の折り畳み式物干し具。
【請求項７】
前記枠体及び／又はハンガー部の下面には挟持具が吊設されることを特徴とする請求項１乃至請求項６のいずれか１項に記載の折り畳み式物干し具。
【請求項８】
前記一対の分割枠体の折り畳み動作を防止する回動抑止部材を備えることを特徴とする請求項１乃至請求項７のいずれか１項に記載の折り畳み式物干し具。
【発明の詳細な説明】
【技術分野】
【０００１】
本発明は、衣類等の洗濯物を干すための物干具に係り、特に、限られたスペースに複数の洗濯物を効率良く干すことできるとともに、干し終わった洗濯物を容易に取り込むことができる折り畳み式物干具に関する。
【背景技術】
【０００２】
従来、洗濯物を洗濯バサミなどで挟んで物干し竿等に吊り下げて干していた。この方法は簡便ではあるが、洗濯物を一定の形に整えて並べて干すことが難しく、洗濯物を干すためには広いスペースを必要としていた。また、洗濯バサミで洗濯物を１つ１つ挟んで物干し竿等に吊り下げるという作業は、煩雑であり、手間がかかっていた。ときには、１つの洗濯物を複数の洗濯バサミによって吊り下げなければならず、洗濯物の量が多い場合には特に重労働となっていた。
【０００３】
このような課題に対処するため、いくつかの発明や考案が開示されている。例えば、特許文献１には、「多数の洗濯物干ハンガーを装備した物干具」という名称で、複数の洗濯物を並べて効率良く干すことができるとともに、使用しない場合には２つに折り畳んでコンパクトに収納できる物干具に関する発明が開示されている。
【０００４】
以下、図５を参照しながら、特許文献１に開示された発明について説明する。
図５は従来技術に係る多数の洗濯物干ハンガーを装備した物干具の斜視図である。
図５に示すように、従来技術に係る発明である物干具は、長さ方向の数カ所に肉取り部５０と桟部５２が設けられた平面視梯子形状のハンガー支持フレームＡと、このハンガー支持フレームＡの両端近くの両側枠５１に設けられた取付めがね部５６に取り付けられた引っ張り部材Ｂと、開口部にハンドル５８付きのフック蓋５９が枢着されたフック５７を上部に有するとともに、柄６０の下部に竪軸線周りに旋回可能に取り付けられた円盤６１に引っ張り部材Ｂが結合された吊り下げフックＣと、ハンガー支持フレームＡに設けられたハンガー支持溝５５に押さえ片Ｅによって離脱不能に取り付けられた複数の洗濯物干ハンガーＤを備えるものである。そして、ハンガー支持フレームＡは、中央部の横断方向に下面５４の位置より若干下側に設けられる枢軸５３の箇所で２つ折りに折り畳み可能となっている。
上記構造の「多数の洗濯物干ハンガーを装備した物干具」によれば、複数の洗濯物干ハンガーＤを備えているため、複数の洗濯物を規則正しく並べて効率良く干すことができる。また、使用しない場合や商品流通段階においては、ハンガー支持フレームＡを２つ折りにしてコンパクトに収納することができる。
【０００５】
また、特許文献２には「開閉ハンガー装置」という名称で、衣類等を掛ける掛け杆が縦杆に連動して上下方向に回転することにより開閉するハンガー装置に関する発明が開示されている。
特許文献２に開示された発明は、本体の左右に対称に軸支される一対の掛け杆と、この掛け杆の間で上下動可能に本体に取り付けられるとともに掛け杆を上下方向に回転させて開閉させる縦杆と、掛け杆が開状態となる方向へ縦杆を付勢する弾性手段と、縦杆に交叉するように取り付けられて掛け杆を開状態に保持する保持手段とを備えたことを特徴としている。
上記構造の「開閉ハンガー装置」においては、掛け杆が１つの操作で簡単に開閉するため、衣類等の着脱が容易である。
【０００６】
特許文献３に開示された発明は「折り畳み式ハンガー」という名称で、衣服の首部を伸ばすことなく、簡単に挿着し、又は脱外することが可能な折り畳み式ハンガーに関する発明が開示されている。
特許文献３に開示された発明は、上部が鉤状に湾曲したフックの下部が筒状体に挿嵌され、この筒状体の中間部両側に肩部支持部材の端部が上下方向可動に軸支され、筒状体を貫通したフックの下端と肩部支持部材の中間部とが支持骨を介して連結された構造となっている。なお、支持部材の両端はフックの下端及び肩部支持部材の中間部にそれぞれ回動自在に軸支されている。
上記構造の「折り畳み式ハンガー」においては、フックの上部を手で持つことにより筒状体が自重で降下してフック下端と筒状体下端との距離が狭まって肩部支持部材が開くという作用を有し、肩部支持部材が開いた状態で筒状体を持ち上げることによりフック下端と筒状体下端との距離が広がって肩部支持部材が閉じるという作用を有する。すなわち、肩部支持部材の開閉動作を１つの操作で行うことが可能である。従って、衣服を干す際は肩部支持部材を開き、衣服の挿着及び脱外の際は肩部支持部材を閉じることにより、衣服の首部を伸ばさずに、挿着及び脱外を容易に行うことが可能である。
【０００７】
【特許文献１】特開平８−１１７４８７号公報
【特許文献２】特開平９−１０８０９０号公報
【特許文献３】特開平８−２５２１６２号公報
【発明の開示】
【発明が解決しようとする課題】
【０００８】
しかしながら、上述の従来技術である特許文献１に開示された発明においては、複数の洗濯物干ハンガーＤに対して洗濯物の取り外し作業を個別に行わなければならないので、洗濯物の量が多い場合にはその取り込み作業に多くの手間や時間を要するという課題があった。
【０００９】
また、特許文献２に開示された発明は、掛け杆を一対しか備えていないため、複数の衣類等を効率良く並べて干すことが困難であった。また、機構が複雑なため、複数の掛け杆を備えた構成にすることは容易でないという課題があった。
【００１０】
特許文献３に開示された発明は、フック下部の直線部分が肩部支持部材の半分以上の長さを必要とするため、縦方向にスペースをとってしまうという課題があった。また、本発明のハンガーを複数備えた構成にすれば、複数の衣服を効率良く並べて干すことができるものの、ハンガーごとに衣服を取り外す必要があるため、その作業に多くの時間を要する。また、製造コストも高くなる。
【００１１】
本発明はかかる従来の事情に対処してなされたものであり、限られたスペースに複数の洗濯物を効率良く干すことできるとともに、干し終わった洗濯物を容易に取り込むことができる物干具を提供することを目的とする。
【課題を解決するための手段】
【００１２】
上記目的を達成するため、請求項１記載の発明である折り畳み式物干し具は、略中央部に設けられた回動軸で連結される一対の分割枠体を備えて２つ折りに折り畳み可能な枠体と、一対の分割枠体のそれぞれの下面側に回動軸に直交するように配置され一対の肩部を備えたハンガー部と、枠体の上面側に備えられる吊手とを備え、一対の肩部は略左右対称にその端部が枠体の外側を向くように略水平に形成され、回動軸の回動によって折り畳まれる一対の分割枠体に連動してその端部が近接することを特徴とするものである。
このような構造の折り畳み式物干し具においては、分割枠体の下面側に複数のハンガー部を配置することにより、枠体の回動に連動してハンガー部の左右肩部の端部が近接するという動作が複数のハンガー部に対して同時に行われるという作用を有する。
【００１３】
また、請求項２記載の発明は、請求項１記載の折り畳み式物干し具において、一対の肩部は、それぞれ折曲部とこの折曲部を介して折り曲げ可能に連結される固定部と端部を備える可動部とを有し、可動部は折曲部の折り曲げによって端部が近接することを特徴とするものである。
このような構造の折り畳み式物干し具においては、折曲部を折り曲げることにより、回動軸の回動とは無関係に独立して個々のハンガー部の左右可動部の端部が近接されるという作用を有する。
【００１４】
請求項３記載の発明は、請求項２記載の折り畳み式物干し具において、折曲部は、一の端部を固定部に、他の端部を可動部に係着又は固着され引張力を付加する弾性体を備えることを特徴とするものである。
このような構造の折り畳み式物干し具においては、ハンガー部の左右の端部が離れる方向に左右の可動部を折曲部を軸として回動させるように作用する。また、弾性体が固定部と可動部に対して引張力を付加し、回動した可動部を固定部側へ戻すように作用する。
【００１５】
請求項４記載の発明は、請求項１乃至請求項３のいずれか１項に記載の折り畳み式物干具において、吊手は、回動軸を挟んで略左右対称に対をなして枠体の上面側に配置される複数の接続手段を介して枠体に接続され、この接続手段は一端が分割枠体に軸支されるとともに、他端が吊手の下部に軸支されて、回動軸に垂直な面上で回動可能な棒状体であることを特徴とするものである。
このような構造の折り畳み式物干具においては、枠体を折り畳む際の分割枠体の回動を接続手段が阻害しないという作用を有する。
【００１６】
請求項５記載の発明は、請求項４記載の折り畳み式物干具において、接続手段は、棒状体に代えて一端が分割枠体に接合されるとともに、他端が吊手の下部に接合される紐状体であることを特徴とするものである。
このような構造の折り畳み式物干具によれば、接続手段が柔軟であるため、枠体や吊手との接続部分において応力集中が起こり難い。
【００１７】
請求項６記載の発明は、請求項１乃至請求項５のいずれか１項に記載の折り畳み式物干し具において、ハンガー部の上面には滑止め部が形成されることを特徴とするものである。
このような構造の折り畳み式物干具によれば、洗濯物がハンガー部から不用意に外れ難いという作用を有する。
【００１８】
請求項７記載の発明は、請求項１乃至請求項６のいずれか１項に記載の折り畳み式物干し具において、枠体及び／又はハンガー部の下面には挟持具が吊設されることを特徴とするものである。
このような構造の折り畳み式物干具においては、挟持具によって洗濯物を枠体又はハンガー部に吊るすという作用を有する。
【００１９】
請求項８記載の発明は、請求項１乃至請求項７のいずれか１項に記載の折り畳み式物干し具において、一対の分割枠体の折り畳み動作を防止する回動抑止部材を備えることを特徴とするものである。
このような構造の折り畳み式物干具においては、回動抑止部材によって分割枠体の不用意な回動が阻止される。
【発明の効果】
【００２０】
以上説明したように、本発明の請求項１記載の折り畳み式物干し具においては、分割枠体の下面側に複数のハンガー部を配置することにより、複数の洗濯物を規則正しく並べて効率良く干すことが可能である。また、干し終わった洗濯物をハンガー部から一気かつ容易に取り外すことができる。
【００２１】
本発明の請求項２記載の折り畳み式物干し具においては、干された状態にある複数の洗濯物のうち、乾き具合に応じて選別した所望の洗濯物のみをハンガー部から取り外すことが可能である。また、個々のハンガー部の左右可動部の端部が近接されるので、シャツなど首を通す孔が形成される洗濯物を干す場合にも、孔に可動部を挿入しやすくなるため容易に物干し作業を行うことができる。
【００２２】
本発明の請求項３記載の折り畳み式物干し具においては、可動部の不用意な回動によってハンガー部から洗濯物が勝手に外れないようにすることができる。また、所望の洗濯物を選別して取り外す際や選択物をハンガー部に掛ける際に近接させたハンガー部の可動部を、弾性体の引張力によって自動的に元の状態に戻すことができる。
【００２３】
本発明の請求項４記載の折り畳み式物干し具においては、枠体を容易に折り畳むことが可能であり、また、この操作に伴う接続手段の破損を防ぐことができる。
【００２４】
本発明の請求項５記載の折り畳み式物干し具においては、枠体や吊手との接続部分を簡単な構造にすることができる。これにより、製品の軽量化と製造コストの削減が可能となる。
【００２５】
本発明の請求項６記載の折り畳み式物干し具においては、ハンガー部に掛けられている洗濯物が不用意に外れるおそれがないため、安心して使用することができる。
【００２６】
本発明の請求項７記載の折り畳み式物干し具においては、筒状部分を有する洗濯物に限らず、いろいろな形状の洗濯物を干すことができる。
【００２７】
本発明の請求項８記載の折り畳み式物干し具においては、洗濯物が勝手に折り畳まれて乾燥し難い形状になったり、ハンガー部から勝手に外れて落ちたりするおそれがない。
【発明を実施するための最良の形態】
【００２８】
以下に、本発明の最良の実施の形態に係る折り畳み式物干具の実施例について図１乃至図３を用いて説明する。
【実施例１】
【００２９】
実施例１について図１及び図２を用いて説明する（特に、請求項１、請求項４乃至請求項７に対応）。
図１は本発明の実施の形態に係る折り畳み式物干具の実施例１の外観斜視図であり、図２は実施例１の折り畳み式物干具を折り畳んだ状態を示す図である。
図１に示すように、本実施例の折り畳み式物干具は、幅方向の略中央部に設けられた回動軸２ａによって連結される一対の分割枠体１ａ，１ａからなる枠体１と、枠体１の上面側に設置される吊手６と、枠体１の下面側に配置される複数のハンガー部７とから構成される。
吊手６の上部は鉤状に折れ曲がってフック部６ａを形成し、吊手６の下部は二股に分かれて取付部６ｂを形成している。取付部６ｂは、取付板４上面の突起部４ａ内部に回動可能に設けられた枢軸（図示せず）に固定され、仮想の回動軸Ｙを中心として回動自在に取り付けられている。取付板４は、回動軸２ａが形成する仮想の回動軸Ｘに仮想の回動軸Ｙが直交するように、かつ、突起部４ａが枠体１の幅方向及び仮想の回動軸Ｘの方向のそれぞれ略中央に位置するように配置される。
接続手段５は、中央直線部５ａと端部５ｂを有する棒状体であり、枠体１の上面側に仮想の回動軸Ｘを挟んで略左右対称に対をなして配置されている。中央直線部５ａは、仮想の回動軸Ｙに直交するように取付板４の両端近傍にそれぞれ設けられた貫通孔（図示せず）に回転自在に挿通されている。また、端部５ｂは枠体１上面の端縁部近傍に設けられた接合部３の貫通孔（図示せず）に仮想の回動軸Ｘに平行な軸を中心として回動自在に挿通されている。
ハンガー部７は、分割枠体１ａ，１ａのそれぞれの下面側に仮想の回動軸Ｘを挟んで略左右対称に配置される一対の肩部７ａ，７ａからなり、少なくとも１つのハンガー部７の下面には挟持具として洗濯バサミ１３が吊設されている。肩部７ａの端部７ｂは枠体１の外側を向くように略水平に形成されている。また、肩部７ａの上面の一部には微小な凹凸が設けられて滑止め部７ｃを形成している。
この滑止め部７ｃは、一体に設けられた凹凸の他、帯状、ブロック状あるいはボール状のゴム部材を埋め込んだり、少なくとも肩部７ａの摩擦係数よりも大きな摩擦係数を備えたシール部材を貼付したようなものでもよい。
【００３０】
上記構成の折り畳み式物干具においては、図２に示すように、枠体１を回動軸２ａの位置で２つ折りに折り畳むと、仮想の回動軸Ｘを中心とする分割枠体１ａの回動に連動してハンガー部７の左右肩部７ａの端部７ｂが近接するという作用を有する。なお、このとき、接続手段５の回転面は仮想の回動軸Ｘに垂直となるため、分割枠体１ａの回動を阻害することがない。
また、吊手６を物干し竿等に吊り下げた場合、突起部４ａが枠体１の幅方向及び仮想の回動軸Ｘの方向のそれぞれ略中央に配置されているため、枠体１は略水平状態になる。さらに、吊手６の取付部６ｂの仮想の回動軸Ｙが仮想の回動軸Ｘと直交しているため、ハンガー部７に洗濯物が不均一に掛けられることにより仮想の回動軸Ｘが水平に対して傾斜した場合でも、取付部６ｂと突起部４ａとの接続部に応力が集中し難い。加えて、ハンガー部７の肩部７ａには滑止め部７ｃを備えているため、ハンガー部７に掛けられた洗濯物が肩部７ａの上面を滑って不用意に外れてしまうおそれがない。
また、枠体１及びハンガー部７の下面側には洗濯バサミ１３が吊設されているので、洗濯物はハンガー部７にかけるのみならず、洗濯バサミ１３で固定して干してもよい。なお、ハンガー部７に吊設される洗濯バサミ１３は肩部７ａの端部７ｂに設けることが望ましい。端部７ｂ同士を近接した場合に洗濯バサミ１３同士が干渉しないようにするためである。
【００３１】
以上説明したように、本実施例の折り畳み式物干具においては、複数のハンガー部７を備えているため、限られたスペースに複数の洗濯物を効率良く並べて干すことが可能である。また、洗濯物を干し終わった後は、枠体１を回動軸２ａの位置で２つ折りに折り畳んで複数のハンガー部７の端部７ｂを同時に近接させることにより、複数のハンガー部７にそれぞれ掛けられた洗濯物を容易に取り外すことが可能である。さらに、接続手段５が分割枠体１ａの回動を阻害しないため、枠体１を折り畳み易く、また、接続手段５が破損し難い。加えて、ハンガー部７に洗濯物を不均一に掛けることにより枠体１が長さ方向（幅方向に垂直な方向）に傾いた場合でも、吊手６や取付板４が破損し難い。さらに、滑止め部７ｃが設けられていることから洗濯物がハンガー部７から勝手に外れるおそれが少なくなり、洗濯のやり直し等の無駄が発生する可能性が小さい。従って、安心して使用することができる。また、洗濯バサミ１３を利用することも可能であり、いろいろな形状の物を干すことができるため、利便性が良い。
【００３２】
本実施例の折り畳み式物干具においては、接続手段５を棒状体としているが、例えば、紐状体あるいは多数の小さな輪が連結されたチェーン形状であっても良い。この場合、接続手段５が柔軟構造となるため、接合部３や取付板４との接続部分への応力集中が起こり難い。従って、接続部分を簡単な構造にすることができる。これにより、製品を軽量化するとともに、製造コストを安くすることができる。また、本実施例では、軽量化のため、折り畳み式物干具の材質を合成樹脂とするが、これに限定されるものではなく、例えば、軽金属であっても良い。さらに、接続手段５は、仮想の回動軸Ｘを挟んで左右対称に配置される一対の部材であれば良く、本実施例に示す形状や本数に限定されるものではない。
また、枠体１は回動軸２ａの位置で、仮想の回動軸Ｘを中心に回動して折り畳まれるが、この仮想の回動軸Ｘと垂直な方向、すなわち仮想の回動軸Ｙと平行な方向にも折り畳み可能としてもよい。すなわち、枠体１を仮想の回動軸Ｙの方向に分割可能に新たな回動軸を枠体１に追加して折り畳み可能とするのである。
本実施例では、洗濯物を干さない際に収納のために折り畳む場合には、仮想の回動軸Ｘを中心に折り曲げるので横長の状態で保持されるが、洗濯物が乾いてハンガー部７から取り外した後に、今度は仮想の回動軸Ｘに垂直な方向に折り畳んで収納することが可能であれば、正方形に近い状態で保持することもできる。
【実施例２】
【００３３】
実施例２について図３を用いて説明する（特に、請求項２及び請求項３に対応）。
図３（ａ）及び（ｂ）はそれぞれ本発明の実施の形態に係る折り畳み式物干具の実施例２のハンガーの外観及び内部構造を示す部分拡大図である。
図３（ａ）及び（ｂ）に示すように、本実施例の折り畳み式物干具は、実施例１における肩部７ａに代えて、固定部８ｂと可動部８ｃが回動軸２ｂ及び弦巻バネ形状の弾性体９からなる折曲部を介して連結された構造を有する一対の肩部８ａを備えるものである。固定部８ｂ及び可動部８ｃは回動軸２ｂを中心に折り曲げ可能に連結され、固定部８ｂと可動部８ｃは少なくともこの連結部近傍において中空形状となっており、それらの内部にそれぞれ取付ピン１０ａ，１０ｂが設けられている。弾性体９の両端はこの取付ピン１０ａ，１０ｂに係着又は固着され、固定部８ｂ及び可動部８ｃの端部側面の一部には、弾性体９と緩衝しないように切欠き１１ａ，１１ｂが設けられている。
なお、この弾性体９は引っ張られると復元力を発生するいわゆる引きばねタイプの弦巻バネ形状の弾性体である。
上記構成の折り畳み式物干し具によれば、ハンガー部７を構成する左右一対の肩部８ａにおいて、左右の可動部８ｃを当接面１２ａと当接面１２ｂが離れる方向に回動軸２ｂを中心にそれぞれ回動させると、左右の端部８ｄが近接するので、洗濯物を干す場合には、Ｔシャツなどの首を通す孔を備えた衣類に対して、直接肩部８ａの端部８ｄをその孔に挿入することができる。一方、干した洗濯物を取り込む場合には、逆に、容易にその孔からハンガー部７の肩部８ａを抜き取ることができる。
また、弾性体９は、肩部８ａの左右端部８ｄが近接した状態から、元の離れた状態へ引っ張りの復元力を付加して、当接面１２ａと当接面１２ｂを近づけるように作用する。このような作用によって、干すための洗濯物の袖部分を肩部８ａに通したり、また、乾いた洗濯物を取り込んだハンガー部７の端部８ｄをわざわざ手で拡げる作業は必要なく、引張力で自動的に当接面１２ａ，１２ｂが当接する元の状態に戻すことができる。
【００３４】
本実施例の折り畳み式物干し具によれば、任意、個別のハンガー部７に対し左右肩部８ａの端部８ｄを近接させて洗濯物を容易に取り外すことができる。従って、ハンガー部７に干されている複数の洗濯物の中から乾き具合に応じて選別した所望の洗濯物のみを取り外すことが可能である。
また、逆に、洗濯物を干す場合には、ハンガー部７に同時に洗濯物を干すことができず、ハンガー部７一つずつに洗濯物を干してその洗濯物を保持した上で次の洗濯物を干していくので、全体のハンガー部７の端部８ｄが一気に近接したり離れたりすると、かえって作業上不都合である。
そこで、本実施例のように個別のハンガー部７の端部８ｄを近接させることができる場合には、１のハンガー部７の端部８ｄを近接させて洗濯物に挿入し、端部８ｄを離して洗濯物を干し、そして次のハンガー部７の端部８ｄを近接させるというような作業が可能であるため、特に洗濯物を干す作業を効率的に行なうことができる。
さらに、常に弾性体９から引張力がかかるため、可動部８ｃの不用意な回動によりハンガー部７に掛けられている洗濯物が外れるおそれがない。
【００３５】
なお、弾性体９は弦巻バネ形状に限定されるものではなく、例えば、ゴム紐状でも良い。また、回動軸２ｂを用いずに固定部８ｂと可動部８ｃを連結させることもできる。例えば、繰り返し折り曲げても破断し難いポリプロピレンのような合成樹脂を用いて、固定部８ｂと可動部８ｃとを折り曲げ可能に連結させた構造としても良い。
【実施例３】
【００３６】
実施例３について図４を用いて説明する（特に、請求項８に対応）。
図４（ａ）は本発明の実施の形態に係る折り畳み式物干具の実施例３の部分拡大図であり、（ｂ）は回動抑止部材の外観斜視図である。
図４（ａ）及び（ｂ）に示すように、本実施例の折り畳み式物干具は、実施例１において、回動軸２ａを跨ぐように設置された回動抑止部材１５によって分割枠体１ａ，１ａが連結されることを特徴とする。そして、回動抑止部材１５の軸部１５ａは一方の分割枠体１ａの側面に設けられた取付部１４ａに仮想の回動軸Ｚを中心として回動可能に取付けられ、嵌合部１５ｂは他方の分割枠体１ａの側面に設けられた取付部１４ｂに係止可能となっている。なお、仮想の回動軸Ｚは分割枠体１ａの上面に直交している。
上記構成の折り畳み式物干し具においては、回動抑止部材１５を仮想の回動軸Ｚの周りに回動させて嵌合部１５ｂを取付部１４ｂに係止させることにより、分割枠体１ａ，１ａの回動が阻止される。また、回動抑止部材１５を回動させて嵌合部１５ｂを取付部１４ｂから外すことにより、分割枠体１ａ，１ａは回動可能となる。すなわち、本実施例の折り畳み式物干し具によれば、分割枠体１ａ，１ａが不用意に回動して、洗濯物が乾燥し難い形状となったり、ハンガー部７から外れて落ちたりすることを防止できるのである。
【００３７】
なお、本実施例では回動抑止部材１５の軸部１５ａが分割枠体１ａの取付部１４ａに取付けられた構造となっているが、これに限定されるものではない。例えば、回動抑止部材１５を使用時のみ分割枠体１ａに対して装着する、いわゆる着脱可能な構造とすることもできる。また、回動抑止部材１５の取付部１４ａ，１４ｂは分割枠体１ａの側面以外の例えば、上面や下面に設けても良い。さらに、回動抑止部材は必ずしも回動軸２ａを跨ぐ構造でなくとも良い。例えば、回動軸２ａの近傍において、一対の分割枠体１ａ，１ａを共に連通するような連通孔を設けると共に、回動抑止部材をこの連通孔に挿通可能な棒状構造とすることもできる。このような棒状の回転抑止部材とすれば、これを連通孔に挿通することにより、棒状の回転抑止部材が、一対の分割枠体１ａ，１ａを貫通することで折り畳み動作を防止することができる。
さらに、このような連通孔は、分割枠体１ａ，１ｂの端部にそれぞれリング状に形成され、回動軸２ａを中心に分割枠体１ａ，１ｂの回動に従って摺動する摺動部を共に連通するような連通孔を設けて、その連通孔に挿通可能な棒状構造としてもよい。このような場合も棒状の回転抑止部材が、その摺動部を貫通することで折り畳み動作を防止することができる。
【産業上の利用可能性】
【００３８】
以上説明したように、請求項１乃至請求項８に記載された発明は、洗濯物だけでなく、自然乾燥を行う必要がある食料品あるいは工業用製品等に対しても適用可能である。
【図面の簡単な説明】
【００３９】
【図１】本発明の実施の形態に係る折り畳み式物干具の実施例１の外観斜視図である。
【図２】実施例１の折り畳み式物干具を折り畳んだ状態を示す図である。
【図３】（ａ）及び（ｂ）はそれぞれ本発明の実施の形態に係る折り畳み式物干具の実施例２のハンガーの外観及び内部構造を示す部分拡大図である。
【図４】（ａ）は本発明の実施の形態に係る折り畳み式物干具の実施例３の部分拡大図であり、（ｂ）は回動抑止部材の外観斜視図である。
【図５】従来技術に係る多数の洗濯物干ハンガーを装備した物干具の斜視図である。
【符号の説明】
【００４０】
１…枠体  １ａ…分割枠体  ２ａ，２ｂ…回動軸  ３…接合部  ４…取付板  ４ａ…突起部  ５…接続手段  ５ａ…中央直線部  ５ｂ…端部  ６…吊手  ６ａ…フック部  ６ｂ…取付部  ７…ハンガー部  ７ａ…肩部  ７ｂ…端部  ７ｃ…滑止め部  ８ａ…肩部  ８ｂ…固定部  ８ｃ…可動部  ８ｄ…端部  ９…弾性体  １０ａ，１０ｂ…取付ピン  １１ａ，１１ｂ…切欠き  １２ａ，１２ｂ…当接面  １３…洗濯バサミ  １４ａ，１４ｂ…取付部  １５…回動抑止部材  １５ａ…軸部  １５ｂ…嵌合部  Ｘ，Ｙ，Ｚ…仮想の回動軸  ５０…肉取り部  ５１…両側枠  ５２…桟部  ５３…枢軸  ５４…下面  ５５…ハンガー支持溝  ５６…取付めがね部  ５７…フック  ５８…ハンドル  ５９…フック蓋  ６０…柄  ６１…円盤  Ａ…ハンガー支持フレーム  Ｂ…引っ張り部材  Ｃ…吊り下げフック  Ｄ…洗濯物干ハンガー  Ｅ…押さえ片  
【図１】
2007244704.tif 000003
【図２】
2007244704.tif 000004
【図３】
2007244704.tif 000005
【図４】
2007244704.tif 000006
【図５】
2007244704.tif 000007
【手続補正書】
【提出日】平成18年12月6日(2006.12.6)
【手続補正１】
【補正対象書類名】特許請求の範囲
【補正対象項目名】請求項１
【補正方法】変更
【補正の内容】
【請求項１】
略中央部に設けられた回動軸で連結される一対の分割枠体を備えて２つ折りに折り畳み可能で、吊手に吊り下げた時に略水平状態になる枠体と、前記一対の分割枠体のそれぞれの下面側に前記回動軸に直交するように配置され一対の肩部を備えたハンガー部と、前記枠体の上面側に備えられる吊手とを備え、前記一対の肩部は略左右対称にその端部が前記枠体の外側を向くように略水平に形成され、前記回動軸の回動によって折り畳まれる一対の分割枠体の折り畳みに連動して、前記肩部の端部が近接することを特徴とする折り畳み式物干し具。
【手続補正２】
【補正対象書類名】明細書
【補正対象項目名】００１２
【補正方法】変更
【補正の内容】
【００１２】
上記目的を達成するため、請求項１記載の発明である折り畳み式物干し具は、略中央部に設けられた回動軸で連結される一対の分割枠体を備えて２つ折りに折り畳み可能で、吊手に吊り下げた時に略水平状態になる枠体と、一対の分割枠体のそれぞれの下面側に回動軸に直交するように配置され一対の肩部を備えたハンガー部と、枠体の上面側に備えられる吊手とを備え、一対の肩部は略左右対称にその端部が枠体の外側を向くように略水平に形成され、回動軸の回動によって折り畳まれる一対の分割枠体の折り畳みに連動して、前記肩部の端部が近接することを特徴とするものである。
このような構造の折り畳み式物干し具においては、分割枠体の下面側に複数のハンガー部を配置することにより、枠体の回動に連動してハンガー部の左右肩部の端部が近接するという動作が複数のハンガー部に対して同時に行われるという作用を有する。